(57)【特許請求の範囲】
【請求項１】
共同玄関に設置され、テレビカメラを備えたロビーインターホンと、
各住戸に設置され、モニタテレビユニットを付加した住戸用インターホンと、
上記ロビーインターホンのテレビカメラからの映像信号を入力するとともに、各住戸に設置された住戸用インターホンに付加された上記モニタテレビユニットにテレビ駆動電源を供給する映像制御盤とを備えた集合住宅用テレビインターホンシステムにおいて、
上記映像制御盤は、上記ロビーインターホンのテレビカメラから送出された映像信号に、テレビ駆動電源を重畳させた映像電源重畳信号を、１ペアの映像線を通じて、上記各住戸に設置された住戸用インターホンに付加したモニタテレビユニットに供給する構成としており、
上記モニタテレビユニットは、
映像制御盤から導出された映像線を通じて出力されるテレビ駆動電源に上記ロビーインターホンのテレビカメラから送出される映像信号を重畳した映像電源重畳信号を入力する映像入力端子と、
この映像入力端子に制御接点を通じ接続されたテレビ制御回路と、
上記映像入力端子に上記制御接点を通じ、更に整流回路を通じて接続された内部電源回路と、
住戸用インターホンから送出されて来るテレビ制御信号によって、上記制御接点を開閉するモニタテレビ駆動制御回路とを備えた構成とした集合住宅用テレビインターホンシステム。
【請求項２】
請求項１に記載された集合住宅用テレビインターホンシステムにおいて、
上記モニタテレビ駆動制御回路は、上記映像入力端子に別の整流回路を通じて接続され、映像入力端子から供給される映像電源重畳信号から取り出されたテレビ駆動電源が供給される構成とした集合住宅用テレビインターホンシステム。
【請求項３】
上記モニタテレビ駆動制御回路は、スイッチング素子を通電させてリレーコイルを駆動させて上記制御接点を開閉制御する構成となっており、
上記映像入力端子より映像線を通じて上記映像電源重畳信号を入力したときには、上記スイッチング素子を駆動して、上記制御接点を閉じる構成としている請求項１または２に記載の集合住宅用テレビインターホンシステム。
【請求項４】
上記モニタテレビ駆動制御回路は、スイッチング素子を通電させてリレーコイルを駆動させて、上記制御接点を開閉制御する構成となっており、
上記リレーコイルにはツエナーダイオードを並列接続するとともに、そのツエナーダイオードに抵抗素子を接続して電圧抑制回路を構成している請求項３に記載の集合住宅用テレビインターホンシステム。
【請求項５】
上記テレビ制御回路は、住戸用インターホンからテレビ駆動信号を受けるまでは、上記制御接点を開状態に保持して、上記映像入力端子とは電気的に遮断する構成とした請求項１〜４のいずれかに記載の集合住宅用テレビインターホンシステム。
【請求項６】
上記整流回路は、ダイオードブリッジで構成されている請求項１〜５のいずれかに記載の集合住宅用テレビインターホンシステム。
【発明の詳細な説明】
【０００１】
【産業上の利用分野】
【０００２】
本発明は、例えばマンションなどの集合住宅における訪問者などの姿を各住戸内において確認しながら通話が出来る集合住宅用テレビインターホンシステムに関する。
【従来の技術】
【０００３】
この種の集合住宅用テレビインターホンシステムでは、訪問者がマンションなどの共同玄関に設置されたロビーインターホンのテンキーを操作して訪問すべき住戸の住戸番号を入力操作すると、ロビーインターホンに内蔵したテレビカメラが駆動され、テレビカメラによって撮像された訪問者の姿は映像信号となって、映像制御盤（不図示）を介し、更に同軸ケーブルを通じて住戸用インターホン（住宅情報盤）に付設されたモニタテレビユニットに送出されて、そのＣＲＴに映し出される。これに対して、住戸人側では、モニタテレビユニットに映し出された訪問者の姿を確認して通話を行い、住宅情報盤の解錠スイッチを操作すると、共同玄関が解錠され、訪問者は集合住宅内に入ることができるようになっている。  ところで、このような住戸用インターホンにおけるモニタテレビユニットは、図４に示したような回路構成になっている。
すなわち、ロビーインターホンのテンキー操作によって住戸番号が入力されると、警報監視盤（不図示）から住戸用インターホンには呼出信号が送出され、これを受けた住戸用インターホンでは、モニタテレビユニットの端子Ｔ３，Ｔ４にテレビ駆動信号（例えば、接点出力またはオープンコレクタ出力となっている）を出力するので、モニタテレビ駆動制御回路のトランジスタＱにはベース抵抗Ｒ１を介してベース電流が流れて、トランジスタＱがオンされ、リレーコイルＲＬが通電される。
【０００４】
この結果、リレー接点ＳＷは接点ｂを開じるため、テレビ駆動電源が端子Ｔ１，Ｔ２より定電圧回路ＣＶに供給されて復調回路ＤＣおよびテレビ回路ＴＣからなるテレビ制御回路ＴＶＣは駆動し、ロビーインターホンのテレビカメラから同軸ケーブルを通じて映像信号入力端子Ｔ５に送出される映像信号はマッチングトランスＴを介して受信され、復調回路ＤＣで復調されると、訪問者の姿はＣＲＴに映し出される。なお、ＤはリレーコイルＲＬには並列に接続した逆起電力防止用のダイオードである。
【発明が解決しようとする課題】
【０００５】
しかしながら、従来のこのような集合住宅用テレビインターホンシステムでは、ロビーインターホンのテレビカメラからの映像信号は同軸ケーブルを用いて送出され、さらに通話のためには、音声信号伝送用のペア線が使用され、各種の制御を行うために制御信号（住戸呼出し、電気錠、警報などの各種制御用の信号）伝送用のペア線が使用される。また、直流のテレビ駆動用電源（ＤＣ２４Ｖ）は、ペア線を必要とし、１つのシステムには、３組のペア線と１本の同軸ケーブルが使用され、このように配線数が多いことから配線作業に手間がかかるなどの問題があった。なお、図５の（ａ）は同軸ケーブルによって伝送される映像信号と周波数、同図の（ｂ）は音声用ペア線によって伝送される音声信号と周波数、（ｃ）は制御用ペア線によって伝送される制御信号と周波数、（ｄ）は映像電源用ペア線によって伝送される映像電源と周波数の関係を示している。
そして、このようなモニタテレビユニットでは、端子Ｔ１，Ｔ２に印加されるテレビ駆動電源としては、一般に直流の２４Ｖが使用されているため、有極性であるため、端子Ｔ１，Ｔ２に映像電源用ペア線を接続する配線施工時には極性を誤りなく接続しなければならない。
【０００６】
さらに、リレーコイルＲＬには駆動電源の電圧がそのまま印加され、このリレーコイルＲＬはその定格内で使用されるため、リレーコイルＲＬへの印加電圧がモニタテレビユニットの動作電圧範囲となる、つまり駆動電源の電圧をリレーコイルの定格電圧内に設定しなければならず制限を受けるという問題がある。
【０００７】
本発明は上記事情に鑑みてなされたもので、同軸ケーブルを用いることなく映像信号が伝送できるため、配線数を低減でき、しかもテレビ駆動電源の接続端子を無極性として配線の接続作業を容易にし、さらに駆動電源の電圧が大きくてもリレーコイルには、常時定格電圧内の電圧を印加できる集合住宅用テレビインターホンシステムを提供することを目的としている。
【課題を解決するための手段】
【０００８】
上記目的を達成するために提案される請求項１に記載された集合住宅用テレビインターホンシステムは、共同玄関に設置され、テレビカメラを備えたロビーインターホンと、各住戸に設置され、モニタテレビユニットを付加した住戸用インターホンと、ロビーインターホンのテレビカメラからの映像信号を入力するとともに、各住戸に設置された住戸用インターホンに付加されたモニタテレビユニットにテレビ駆動電源を供給する映像制御盤とを備えた集合住宅用テレビインターホンシステムにおいて、映像制御盤は、上記ロビーインターホンのテレビカメラから送出された映像信号に、テレビ駆動電源を重畳させた映像電源重畳信号を、１ペアの映像線を通じて、各住戸に設置された住戸用インターホンに付加したモニタテレビユニットに供給する構成としており、モニタテレビユニットは、映像制御盤から導出された映像線を通じて出力されるテレビ駆動電源にロビーインターホンのテレビカメラから送出される映像信号を重畳した映像電源重畳信号を入力する映像入力端子と、この映像入力端子に制御接点を通じ接続されたテレビ制御回路と、映像入力端子に制御接点を通じ、更に整流回路を通じて接続された内部電源回路と、住戸用インターホンから送出されて来るテレビ制御信号によって、上記制御接点を開閉するモニタテレビ駆動制御回路とを備えた構成としている。
【０００９】
ここで、上記モニタテレビ駆動制御回路は、上記映像入力端子に別の整流回路を通じて接続され、映像入力端子から供給される映像電源重畳信号から取り出された直流のテレビ駆動電源が供給される構成とすることができる（請求項２）。
【００１０】
一方、モニタテレビ駆動制御回路は、スイッチング素子を通電させ、リレーコイルを駆動させて上記制御接点を開閉制御する構成とし、映像線より上記映像電源重畳信号が出力されたときには、上記スイッチング素子を駆動して、上記制御接点を閉じる構成としてもよい（請求項３）。
【００１１】
さらに、モニタテレビ駆動制御回路は、スイッチング素子を通電させてリレーコイルを駆動させて、上記制御接点を開閉制御する構成とし、上記リレーコイルにはツエナーダイオードを並列接続するとともに、そのツエナーダイオードに抵抗素子を接続して電圧抑制回路を構成するようにしてもよい（請求項４）。
【００１２】
また、上記テレビ制御回路は、住戸用インターホンからテレビ駆動信号を受けるまでは、上記制御接点を開状態に保持して、上記映像入力端子とは電気的に遮断する構成にすることができる（請求項５）。さらにまた、上記各整流回路は全波整流式のダイオードブリッジで構成することが好ましい（請求項６）。
【作用】
【００１３】
請求項１に記載された本発明の集合住宅用テレビインターホンシステムでは、映像制御盤では、ロビーインターホンのテレビカメラから送られる映像信号にテレビ駆動電源を重畳して、映像電源重畳信号を生成し、この映像電源重畳信号を１ペアの映像線を通じて住戸用インターホンに伝送している。
【００１４】
したがって、従来のシステムのような同軸ケーブルが不要となるとともに、映像信号とテレビ駆動電源とを同一のペア線を兼用して伝送するため、その分だけ配線数が減少する。
【００１５】
また、住戸用インターホンにおいて、制御盤からモニタテレビユニットにテレビ駆動信号が送られると、このテレビ駆動信号を受けたモニタテレビ駆動制御回路は制御接点を閉成する。それにより、映像入力端子の映像電源重畳信号は制御接点および整流回路を通じて内部電源回路に供給される。ここに、上記整流回路を、例えばダイオードブリッジで構成すれば、映像入力端子は無極性となるので、映像入力端子に対するペア線を接続する際、極性を気にせず、そのまま接続できる。
【００１６】
請求項２に記載された本発明の集合住宅用テレビインターホンシステムでは、映像電源重畳信号が整流回路により整流されてテレビ駆動電源が取り出され、このテレビ駆動電源がモニタテレビ駆動制御回路に供給される。すなわち、モニタテレビ駆動制御回路の駆動電源を映像入力端子から供給することができる。
【００１７】
請求項３に記載された本発明の集合住宅用テレビインターホンシステムでは、映像線を通じて映像電源重畳信号が出力されると、この映像電源重畳信号から取り出されたテレビ駆動電源はモニタテレビ駆動制御回路に供給される。モニタテレビ駆動制御回路では、テレビ駆動電源の供給によりスイッチング素子が導通してリレーコイルに通電され、制御接点が閉じられる。
【００１８】
このようなモニタテレビ駆動制御回路では、スイッチング素子として例えばトランジスタを用いた場合、このトランジスタのコレクタとベースとを予め短絡させておけば、オープンコレクタ出力または接点出力によるテレビ駆動信号も不要となる。
【００１９】
請求項４に記載された本発明の集合住宅用テレビインターホンシステムでは、映像電源重畳信号から取り出されたテレビ駆動電源の電源電圧が抵抗素子とツェナーダイオードとにより分圧され、リレーコイルに供給される電圧はツェナーダイオードのツェナー電圧以下に抑制される。したがって、映像入力端子への入力電圧に制限を受けない。
【００２０】
請求項５に記載された本発明の集合住宅用テレビインターホンシステムでは、テレビ駆動信号が入力されない限り制御接点が開状態を保持し、テレビ制御回路は映像入力端子に対して電気的に遮断されている。したがって、テレビ制御回路および内部電源回路は雷サージやノイズからも保護される。
【実施例】
【００２１】
以下に、添付図面を参照して本発明の実施例を説明する。
【００２２】
図２には請求項１において提案された本発明の集合住宅用テレビインターホンシステムがブロック図をもって示されている。
【００２３】
同図において、マンションなどの集合住宅の共同玄関には、テレビカメラを備えたロビーインターホン１が設けられ、集合住宅の管理人室等には、集中管理用のコントローラを内蔵した警報監視盤２が設置されている。
【００２４】
また、集合住宅の各住戸には、住戸用のインターホン４が設置されており、これらの住戸用インターホン４は、制御盤を内蔵したインターホン本体（住宅情報盤）５とモニテレビユニット６とからなり、モニテレビユニット６は訪問者の映像を映し出すためのＣＲＴ７を備えている。
【００２５】
一方の映像制御盤３は、ロビーインターホン１のテレビカメラから変調されて送られてくる映像信号にテレビ駆動電源を重畳させた映像電源重畳信号を生成しており、この映像電源重畳信号は１ペアの映像線９ａによって、端子台を介してモニタテレビユニット６に対し供給されている。なお、住戸用インターホン４には、住戸の玄関先で通話するためのドアホン子機８が接続されている。
【００２６】
また、ロビーインターホン１、警報監視盤２、各住戸に設置された住戸用インターホン５とは１ペアの通話線９ｂで接続されるとともに、これらの間には呼出信号、電気錠解錠信号、セキュリティー信号などを伝送するための１ペアの制御線９ｃで接続されている。
【００２７】
このようなテレビインターホンシステムでは、訪問者がロビーインターホン１のテンキー１ａの操作により訪問すべき住戸番号を入力すると、その指定された住戸の住戸用インターホン４には警報制御盤２から呼出信号が出力され、ロビーインターホン１にはテレビカメラ駆動電源が供給されるので、テレビカメラは駆動され、このとき映像制御盤３から各住戸の住戸用インターホン４には映像電源重畳信号が送られて、そのモニタテレビユニット６のＣＲＴ７には訪問者の姿が映し出される。その結果、各住戸内においては、訪問者の姿を確認しながら、通話ができる。
【００２８】
このようなテレビインターホンシステムでは、映像電源重畳信号を伝送するための１ペアの映像線９ａと、通話のための１ペアの通話線９ｂと、各種の制御信号を伝送するための１ペアの制御線９ｃにより配線でき、そのため、従来のテレビインターホンシステムにおいて使用されていた同軸ケーブルが不要となるとともに、映像信号とテレビ駆動電源とを同一のペア線で重畳伝送しているため、その分だけ配線数が減少し、この構成の簡素化に伴って施工の手間が省け、相当の省力化が達成できる。
【００２９】
図３の（ａ）は、１ペアの映像線９ａによって伝送される映像信号とテレビ駆動電源の周波数配置、（ｂ）は１ペアの通話線９ｂによって伝送される音声信号と周波数配置、（ｃ）は１ペアの制御線によって伝送される制御信号の周波数配置を示しており、制御信号はＤＣ２４Ｖの正、負電圧を用いたパルス信号として送出されるようになっている。
【００３０】
図１は、モニタテレビユニット６の電気回路図を示しており、同図において、図５と同一のものには同一の符号を付してその説明を省略する。
【００３１】
このモニタテレビユニット６は、映像制御盤３から１ペアの映像線９ａを通じて送られる映像電源重畳信号が入力される映像入力端子Ｔ６，Ｔ７と、警報監視盤２から呼出信号を受けた住戸用インターホン４の住宅情報盤５から送られてくるテレビ駆動信号が入力されるテレビ制御端子Ｔ８，Ｔ９とを備えている。
【００３２】
映像入力端子Ｔ６，Ｔ７には、後述するテレビ駆動制御回路ＴＤＣのリレーコイルＲＬの制御接点ＳＷ、ダイオードブリッジからなる第一の全波整流回路ＤＢ１および一対のコイルＬ１，Ｌ２を介して内部電源回路となる定電圧回路ＣＶが接続されている。
【００３３】
映像入力端子Ｔ６，Ｔ７には、図示しているように、映像信号に２４Ｖの直流電圧を重畳した映像電源重畳信号Ｓが入力されるが、この映像入力端子Ｔ６，Ｔ７は、第一の全波整流回路ＤＢ１を通じて定電圧回路ＣＶに接続されるため無極性となる。したがって、この映像入力端子Ｔ６，Ｔ７に対するペア線の接続は極性を考慮することなく行うことが出来る。
【００３４】
また、映像入力端子Ｔ６，Ｔ７には、制御接点ＳＷ、一対の直流阻止用コンデンサＣ１，Ｃ２およびマッチング用トランスＴを介してテレビ制御回路ＴＶＣが接続されており、映像電源重畳信号Ｓから映像信号のみを分離抽出してテレビ制御回路ＴＶＣに供給するようになっている。
【００３５】
なお、ＴＤＣは住戸用インターホン４の本体部である住宅情報盤５から出力されるテレビ駆動信号によって制御接点ＳＷを開閉制御するモニタテレビ駆動制御回路であり（請求項２）、このモニタテレビ駆動制御回路ＴＤＣは、ダイオードブリッジからなる第２の整流回路ＤＢ２を介して映像入力端子Ｔ６，Ｔ７に接続されており、映像入力端子Ｔ６，Ｔ７から供給される映像電源重畳信号を全波整流してテレビ駆動電源を取り出して供給するようになっている（請求項２）。
したがって、ロビーインターホン１からの呼出によって警報監視盤２から呼出信号を受けた住宅情報盤５は、モニタテレビ駆動制御回路ＴＤＣの駆動電源を映像入力端子Ｔ６，Ｔ７から供給することができる。
【００３６】
このモニタテレビ駆動制御回路ＴＤＣは、テレビ駆動信号の入力により両テレビ制御端子Ｔ８，Ｔ９間が短絡されたときに、上記テレビ駆動電源によりトランジスタからなるスイッチング素子Ｑを導通させリレーコイルＲＬを通電することによってリレーコイルＲＬを励磁させ、制御接点ＳＷを常閉接点から常開接点に切り換える。また、リレーコイルＲＬに並列接続したツェナーダイオードＺとこのツェナーダイオードＺに直列した抵抗素子Ｒ２とにより電圧抑制回路ＶＣが構成されているので（請求項４）、映像電源重畳信号から取り出されたテレビ駆動電源の電源電圧が抵抗素子Ｒ２とツェナーダイオードＺとにより分圧され、ツェナーダイオードＺのツェナー電圧以下に抑制されるので、映像入力端子Ｔ６，Ｔ７への入力電圧に制限を受けず、広い範囲の電源にも対応できる。
【００３７】
また、上記実施例では、制御接点ＳＷがテレビ駆動信号が入力されない限り、リレーの両切接点によって開状態を保持しているため、テレビ制御回路ＴＶＣは映像入力端子Ｔ６，Ｔ７に対し電気的にも遮断されている。そのため、テレビ制御回路ＴＶＣおよび定電圧回路ＣＶは誘導雷サージやノイズから保護される。
【００３８】
なお、テレビ制御端子Ｔ８，Ｔ９間を短絡しておけば、映像制御盤３においてテレビ駆動電源を映像信号に重畳するか否かにより、モニタテレビユニット６の駆動のオン、オフ制御を行うこともでき（請求項３）、これにより、オープンコレクタ出力または接点出力によるテレビ駆動信号が不要となり、構成をさらに簡素化できる利点がある。
【発明の効果】
【００３９】
請求項１に記載された集合住宅用テレビインターホンシステムによれば、映像信号を伝送するための同軸ケーブルが不要となるとともに、映像信号とテレビ駆動電源とを重畳することによって同一のペア線を兼用して多重伝送しているため、その分だけ配線数が減少し、このシステム構成を簡易化できる。したがって、システム構成における施工手間が省ける。
【００４０】
また、映像入力端子が無極性となるので、この映像入力端子に対するペア線による映像線の誤接続は皆無となる。
【００４１】
請求項２に記載された集合住宅用テレビインターホンシステムによれば、モニタテレビ駆動制御回路の駆動電源を、住戸用インターホンの本体からではなく映像入力端子から供給することができる。
【００４２】
請求項３に記載された集合住宅用テレビインターホンシステムによれば、スイッチング素子として例えばトランジスタを用いた場合、このトランジスタのコレクタとベースとを予め短絡させておくことができ、オープンコレクタ出力または接点出力によるテレビ駆動信号が不要となる。
【００４３】
請求項４に記載された集合住宅用テレビインターホンシステムによれば、映像電源重畳信号から取り出されたテレビ駆動電源の電源電圧が抵抗素子とツェナダイオードとにより分圧されるとともに、ツェナーダイオードのツェナー電圧以下に抑制される。したがって、映像入力端子への入力電圧に制限を受けず、広い範囲の入力電圧に対応できる。
【００４４】
請求項５に記載された集合住宅用テレビインターホンシステムによれば、テレビ駆動信号が入力されない限り制御接点が開状態を保持して、テレビ制御回路は映像入力端子に対し遮断されている。このため、テレビユニットの非使用時においてテレビ制御回路および内部電源回路を雷サージやノイズから保護出来き、安全性の高いシステムが提供できる。
【図面の簡単な説明】
【図１】  本発明に係る集合住宅用テレビインターホンシステムにおける要部を構成するモニタテレビユニットの内部回路の構成を示すブロック図である。
【図２】  本発明に係る集合住宅用テレビインターホンシステムの概構成を示す系統図である。
【図３】  （ａ）は、本発明システムの１ペアの映像線によって伝送される映像信号とテレビ駆動電源を重畳させた映像電源重畳信号の周波数配置を示す図である。
（ｂ）は、本発明システムの１ペアの通話線によって伝送される音声信号の周波数配置を示す図である。
（ｃ）は、本発明システムの１ペアの制御線によって伝送される制御信号の周波数配置を示す図である。
【図４】  従来のモニタテレビユニットの内部回路の構成を示すブロック図である。
【図５】  従来の集合住宅用テレビインターホンシステムにおける同軸ケーブル、通話線、制御線、映像電源線によって伝送される各信号の周波数配置を示した図である。
【符号の説明】
１  ロビーインターホン
３  映像制御盤
４  住戸用インターホン
５  住宅情報盤
６  モニタテレビユニット
７  ＣＲＴ
９ａ  １ペアの映像線
９ｂ  １ペアの通話線
９ｃ  １ペアの制御線
Ｔ６，Ｔ７  映像入力端子
ＳＷ  制御接点
ＴＶＣ  テレビ制御回路
ＣＶ  内部電源回路
ＤＢ１  整流回路
ＤＢ２  別の整流回路
ＴＤＣ  モニタテレビ駆動制御回路
Ｑ  スイッチング素子
ＲＬ  リレーコイル
Ｚ  ツェナーダイオード
Ｒ２  抵抗素子
ＶＣ  電圧抑制回路
【図１】
0003657637.tif 000002
【図２】
0003657637.tif 000003
【図３】
0003657637.tif 000004
【図４】
0003657637.tif 000005
【図５】
0003657637.tif 000006